(57)【要約】【課題】  各色ごとの副走査方向の位置ずれ高次成分相対差を小さくし、副走査方向の色ずれを抑えて高品位な画像を形成できる光走査装置を得る。【解決手段】  複数の光源と、該光源からのビームを主走査方向に偏向するポリゴンミラー５と、偏向されたビームを被走査面５０Ｙ，５０Ｍ，５０Ｃ，５０Ｋ上に結像するレンズ１１，１２と、該レンズを透過したビームを被走査面に導くための折返しミラー３１〜３８とを備えた光走査装置であって、条件式（１），（２）を満足している。  ｜［Ｋ（ｉ，θＳ）＋Ｋ（ｉ，−θＳ）］／２−Ｋ（ｉ，０）｜＞（２５．４／Ｗ）    …（１）  ｜ＫＫ（１，θ）−ＫＫ（２，θ）｜＜（２５．４／Ｗ）／２    …（２）【選択図】  図１
2006323277.tif 000002
【特許請求の範囲】
【請求項１】
複数の光源と、該光源からのビームを主走査方向に偏向する偏向器と、該偏向器にて偏向されたビームを被走査面上に結像するレンズと、該レンズを透過したビームを被走査面に導くための光路折返しミラーとを備えた光走査装置において、
前記偏向器は各光源に対して共通に設置されており、
前記レンズは前記偏向器の左右両側に配置され、副走査方向の上側及び下側で少なくとも１面異なる面形状を有し、偏向器にて偏向されたビームが上側面及び下側面を透過し、かつ、以下の条件式（１），（２）を満足すること、
偏向角をθとし、設計上のθにおける副走査方向の位置ずれ量をＫ（ｉ，θ）とし、ｉ＝１はレンズの上側面を透過する場合、ｉ＝２はレンズの下側面を透過する場合とし、Ｋ（ｉ，θ）に含まれる３次以上の高次成分の量をＫＫ（ｉ，θ）とすると、
ＫＫ（ｉ，θ）＝Ｋ（ｉ，θ）−［Ａ（ｉ）θ2＋Ｂ（ｉ）θ＋Ｃ（ｉ）］
ここで、Ａ（ｉ），Ｂ（ｉ），Ｃ（ｉ）：θ＝０，±θＮにおいてＫＫ（ｉ，θ）が０になる係数、Ｎは画像上の任意の値とする、
主走査方向の有効画像長さを±Ｌ、そのときの偏向角を±θＳとするとき、ｉ＝１，２の少なくともいずれか一方で、
｜［Ｋ（ｉ，θＳ）＋Ｋ（ｉ，−θＳ）］／２−Ｋ（ｉ，０）｜＞（２５．４／Ｗ）    …（１）
さらに、任意の偏向角θにおいて、
｜ＫＫ（１，θ）−ＫＫ（２，θ）｜＜（２５．４／Ｗ）／２    …（２）
Ｗは書込み解像度（ｄｏｔ／ｉｎｃｈ）、２５．４の単位は（ｍｍ／ｉｎｃｈ）である、
を特徴とする光走査装置。
【請求項２】
前記光路折返しミラーのうち少なくとも１枚に該ミラーを主走査方向において撓ませることで被走査面上での副走査方向の湾曲を補正する手段を設けたことを特徴とする請求項１に記載の光走査装置。
【請求項３】
前記補正手段はビームが鈍角に入射するミラーに対して設けられていることを特徴とする請求項２に記載の光走査装置。
【請求項４】
前記レンズは、前記偏向器に近い第１レンズ及び該第１レンズの後段に配置された第２レンズにて構成され、該第２レンズの被走査面側の面が副走査方向の上側及び下側で少なくとも１面異なる面形状を有し、
第２レンズと被走査面との間に配置された折返しミラーの枚数に関して、上側を透過する光路の配置枚数をＰ、下側を透過する光路の配置枚数をＱとしたとき、以下の式（３）を満足すること、
｜Ｐ−Ｑ｜＝２ｊ＋１    …（３）
但し、ｊは０以上の整数
を特徴とする請求項１ないし請求項３のいずれかに記載の光走査装置。
【請求項５】
前記レンズの少なくとも１面が、副走査方向の上側を透過する光路領域及び下側を透過する光路領域でそれぞれ独立した収差補正力を有することを特徴とする請求項１ないし請求項４のいずれかに記載の光走査装置。
【請求項６】
前記レンズの少なくとも１面において、副走査方向の上側を透過する光路領域及び下側を透過する光路領域で面を定義する式の係数が異なることを特徴とする請求項１ないし請求項４のいずれかに記載の光走査装置。
【発明の詳細な説明】
【技術分野】
【０００１】
本発明は、光走査装置、特に、画像データに基づいて変調された複数のビームを単一の偏向器を用いてそれぞれの被走査面上を走査する光走査装置に関する。
【背景技術】
【０００２】
近年、フルカラーの複写機やプリンタなどの画像形成装置にあっては、Ｙ（イエロー）、Ｍ（マゼンタ）、Ｃ（シアン）、Ｋ（ブラック）の各色に対応して四つの感光体を並置し、各感光体上に形成された各色の画像を中間転写ベルトに転写して合成するタンデム方式が主流となっている。そして、この種のタンデム方式の画像形成装置には、例えば、各感光体上に単一の偏向器（ポリゴンミラー）を用いて４本のビームを同時に走査して画像を描画する光走査装置が搭載されている。
【０００３】
ところで、この種の光走査装置においては、感光体上の描画ラインが副走査方向に湾曲する（以下、ボウと称する）不具合が不可避的に生じる。ボウの発生はビームを偏向器へ副走査方向に傾斜角度をもって入射させる場合により顕著である。
【０００４】
ボウが大きいと走査ラインが弓なりになり画像が劣化する。また、タンデム方式で画像を形成する場合には、各色ごとに発生するボウの相対差が大きいと、色ずれとなりさらに画像が劣化する。そのため、副走査方向の位置ずれ量は絶対値を小さく、各色ごとの相対差を小さくする必要がある。しかし、副走査方向の位置ずれを小さくしようとすると、逆にビーム形状が悪化してしまい、画像品質の低下につながる。
【０００５】
そこで、特許文献１には、温度変化に伴うハウジングの線膨張変化によるボウの湾曲方向を揃えるため、折返しミラーを偏向器の左右では偶数・奇数で異なる枚数、上下では偶数・奇数で一致した枚数で構成した光走査装置が開示されている。この装置では、ハウジングの線膨張変化によるボウの湾曲方向を揃えることができるものの、設計的に残存するボウの湾曲方向を４色で揃えることはできないという問題点を有している。
【０００６】
また、特許文献２には、偏向器の片側のみで偏向させる構成を採用し、副走査方向に関する走査位置のずれ方向を揃える部材を備えた光走査装置が開示されている。但し、この光走査装置は、偏向器の片側のみでビームを偏向するものであり、タンデム方式に適用することは何ら意図しておらず、仮に適用するとしても二つの偏向器を搭載することになるので、コストが大きく上昇してしまう。
【特許文献１】特開２００２−２０２４７２号公報
【特許文献２】特開昭６４−９０９号公報
【発明の開示】
【発明が解決しようとする課題】
【０００７】
そこで、本発明の目的は、タンデム方式で画像を形成する際の各色ごとの副走査方向の位置ずれ高次成分相対差を小さくし、副走査方向の色ずれを抑えて高品位な画像を形成することのできる光走査装置を提供することにある。
【課題を解決するための手段】
【０００８】
以上の目的を達成するため、本発明は、複数の光源と、該光源からのビームを主走査方向に偏向する偏向器と、該偏向器にて偏向されたビームを被走査面上に結像するレンズと、該レンズを透過したビームを被走査面に導くための光路折返しミラーとを備えた光走査装置において、偏向器は各光源に対して共通に設置されており、前記レンズは偏向器の左右両側に配置され、副走査方向の上側及び下側で少なくとも１面異なる面形状を有し、偏向器にて偏向されたビームが上側面及び下側面を透過し、かつ、以下の条件式（１），（２）を満足すること、
偏向角をθとし、設計上のθにおける副走査方向の位置ずれ量をＫ（ｉ，θ）とし、ｉ＝１はレンズの上側面を透過する場合、ｉ＝２はレンズの下側面を透過する場合とし、Ｋ（ｉ，θ）に含まれる３次以上の高次成分の量をＫＫ（ｉ，θ）とすると、
ＫＫ（ｉ，θ）＝Ｋ（ｉ，θ）−［Ａ（ｉ）θ2＋Ｂ（ｉ）θ＋Ｃ（ｉ）］
ここで、Ａ（ｉ），Ｂ（ｉ），Ｃ（ｉ）：θ＝０，±θＮにおいてＫＫ（ｉ，θ）が０になる係数、Ｎは画像上の任意の値とする、
主走査方向の有効画像長さを±Ｌ、そのときの偏向角を±θＳとするとき、ｉ＝１，２の少なくともいずれか一方で、
｜［Ｋ（ｉ，θＳ）＋Ｋ（ｉ，−θＳ）］／２−Ｋ（ｉ，０）｜＞（２５．４／Ｗ）    …（１）
さらに、任意の偏向角θにおいて、
｜ＫＫ（１，θ）−ＫＫ（２，θ）｜＜（２５．４／Ｗ）／２    …（２）
Ｗは書込み解像度（ｄｏｔ／ｉｎｃｈ）、２５．４の単位は（ｍｍ／ｉｎｃｈ）である、
を特徴とする。
【０００９】
本発明に係る光走査装置において、偏向器の左右両側とは、偏向器の回転軸を中心とする左右対称な両側をいう。また、下側光路とは偏向器にて偏向されたビームが前記レンズの光軸を中心として被走査面側を進行する光路をいい、上側光路とは被走査面とは反対側を進行する光路をいう。
【００１０】
前記条件式（１）は副走査方向の位置ずれの２次成分（ボウ）を表しており、この式（１）を満足することは副走査方向の位置ずれの２次成分が大きいことを意味している。また、条件式（２）は光路ごと（各色ごと）の副走査方向の位置ずれの３次以上の高次成分相対差を表しており、この条件式（２）を満足することは高次成分相対差が小さいことを表している。
【００１１】
副走査方向の位置ずれの２次成分を無理に小さくしようとすると、他の収差が悪化してかえって画像品質の低下を招来する。そこで、本発明では、条件式（２）を満足させることで各光路ごとの高次成分相対差を小さくし、副走査方向の色ずれを抑えて高品位な画像を形成する。
【００１２】
本発明に係る光走査装置においては、光路折返しミラーのうち少なくとも１枚に該ミラーを主走査方向において撓ませることで被走査面上での副走査方向の湾曲を補正する手段を設けることが好ましい。設計的に残存したボウの補正が可能になる。
【００１３】
また、レンズを、偏向器に近い第１レンズ及び該第１レンズの後段に配置された第２レンズにて構成し、該第２レンズの被走査面側の面が副走査方向の上側及び下側で少なくとも１面異なる面形状を有し、第２レンズと被走査面との間に配置された折返しミラーの枚数に関して、上側を透過する光路の配置枚数をＰ、下側を透過する光路の配置枚数をＱとしたとき、以下の式（３）を満足するように設定することができる。
｜Ｐ−Ｑ｜＝２ｊ＋１    …（３）
但し、ｊは０以上の整数
【００１４】
このように、第２レンズの被走査面側の面が副走査方向の上側及び下側で少なくとも１面異なる面形状を有することにより、少ないレンズ枚数で済む。
【００１５】
そして、レンズの上側を透過するビームと下側を透過するビームとで副走査方向の位置ずれの高次成分は光路の主走査断面に対して対称な形状を有している。前記式（３）を満足することにより、上側光路と下側光路とで反射回数が１回ずれることになり、ミラーで折り返された後の被走査面上での描画ラインのボウの湾曲方向を揃えることができ、色ずれを効果的に抑えることができる。
【００１６】
また、レンズの少なくとも１面が、副走査方向の上側を透過する光路領域及び下側を透過する光路領域でそれぞれ独立した収差補正力を有することにより、高次成分相対差を容易に低減することができる。同様の効果は、走査レンズの少なくとも１面において、副走査方向の上側を透過する光路領域及び下側を透過する光路領域で面を定義する式の係数を異ならせることによっても達成できる。
【発明を実施するための最良の形態】
【００１７】
以下、本発明に係る光走査装置の実施例について、添付図面を参照して説明する。
【００１８】
（第１及び第２実施例）
本発明に係る光走査装置の第１実施例について、図１に立体配置概念を示し、図２に光源部を示し、図９に副走査断面を示す。また、図１０に第２実施例の副走査断面を示す。
【００１９】
この光走査装置は、タンデム方式の電子写真法による画像形成装置の露光走査ユニットとして構成され、図１に示すように、四つの感光体ドラム５０（５０Ｙ，５０Ｍ，５０Ｃ，５０Ｋ）上にそれぞれの色の画像を形成するように構成されている。なお、感光体ドラム５０上に形成された４色の画像（静電潜像）はトナーにて現像された後、図示しない中間転写ベルト上に１次転写／合成され、記録材上に２次転写される。この種の画像形成プロセスは周知であり、その説明は省略する。
【００２０】
この光走査装置において、図２に示すように、光源部は四つのレーザダイオード１（１Ｍ，１Ｙ，１Ｃ，１Ｋ）からなり、図示しないコリメータレンズ、シリンダレンズ、ハーフミラーを備えている。各レーザダイオード１から放射されたビームはポリゴンミラー５の偏向面に入射する。この入射ビームは図示しないシリンダレンズによって副走査方向Ｚにポリゴンミラー５の偏向面上で線状に変換されている。
【００２１】
ポリゴンミラー５に対して、右上側のレーザダイオード１Ｃのビームが偏向面に入射開角９０°、右下側のレーザダイオード１Ｋのビームが入射開角８０°、左上側のレーザダイオード１Ｍのビームが入射開角８０°、左下側のレーザダイオード１Ｙのビームが入射開角９０°でそれぞれ偏向面に斜入射する。
【００２２】
なお、光源部からのビームは必ずしもポリゴンミラー５に対して斜入射させる必要はないが、斜入射させるとポリゴンミラー５の厚みを増すことなく上側光路及び下側光路へのビームの分離が可能となる。
【００２３】
図１及び図９に示すように、ポリゴンミラー５で主走査方向Ｙに偏向された各ビームを各感光体ドラム５０上に結像するための第１レンズ１１及び第２レンズ１２と、該レンズ１１，１２を透過したビームを各感光体ドラム５０に導くための複数枚の光路折返しミラー３１〜３８と、防塵用のウインドウガラス２９Ｙ，２９Ｍ，２９Ｃ，２９Ｋが配置されている。
【００２４】
第１及び第２レンズ１１，１２は、単一のポリゴンミラー５の回転軸５ａ（図９及び図１０参照）を中心とする左右両側に光路折返しミラー３１〜３８の前段に配置されている。第２レンズ１２の出射側の面形状は、図３に示すように、副走査方向Ｚの上側１２ａ及び下側１２ｂで異なる面形状とされている。即ち、第２レンズ１２の上側１２ａを透過する光路領域と下側１２ｂを透過する光路領域とで面を定義する式の係数が異なり、それぞれの面１２ａ，１２ｂで独立した収差補正力を有している。なお、面形状のデータに関しては後に説明する（表２〜５参照）。
【００２５】
図４に本第１実施例における折返しミラー３１〜３８を図示しない状態での展開光路を示し、図４（Ａ）は主走査断面、図４（Ｂ）は副走査断面である。ここで、図５に示すように、第１及び第２レンズ１１，１２の光軸Ｐとポリゴンミラー５で反射されたビームのなす角度を偏向角θと定義する。
【００２６】
ところで、ポリゴンミラー５で偏向されたビームによる感光体ドラム５０上での描画ラインは、図６に示すように、副走査方向Ｚに対して湾曲した位置ずれを生じる特性を有している。図６では横軸を主走査方向Ｙとして表しており、この主走査方向Ｙを偏向角θで表した位置ずれを図７及び図８に示す。
【００２７】
本第１実施例において、ポリゴンミラー５は４本のビームに対して共通に設置されており、第１及び第２レンズ１１，１２はポリゴンミラー５の左右両側に配置され、副走査方向Ｚの上側及び下側で異なる面形状を有している。このような構成において、偏向角をθとし、設計上のθにおける副走査方向Ｚの位置ずれ量をＫ（ｉ，θ）とする。ビームがレンズ１１，１２の上側面を透過する場合をｉ＝１、下側面を透過する場合をｉ＝２とし、Ｋ（ｉ，θ）に含まれる３次以上の高次成分の量をＫＫ（ｉ，θ）とする。
【００２８】
この場合、高次成分ＫＫ（ｉ，θ）は以下の式で示される。
ＫＫ（ｉ，θ）＝Ｋ（ｉ，θ）−［Ａ（ｉ）θ2＋Ｂ（ｉ）θ＋Ｃ（ｉ）］
ここで、Ａ（ｉ），Ｂ（ｉ），Ｃ（ｉ）：θ＝０，±θＮにおいてＫＫ（ｉ，θ）が０になる係数、Ｎは画像上の任意の値とする、
【００２９】
主走査方向Ｙの有効画像長さを±Ｌ、そのときの偏向角を±θＳとするとき、ｉ＝１，２の少なくともいずれか一方で、以下の条件式（１）を満足することが好ましい。
｜［Ｋ（ｉ，θＳ）＋Ｋ（ｉ，−θＳ）］／２−Ｋ（ｉ，０）｜＞（２５．４／Ｗ）    …（１）
【００３０】
さらに、任意の偏向角θにおいて、以下の条件式（２）を満足することが好ましい。
｜ＫＫ（１，θ）−ＫＫ（２，θ）｜＜（２５．４／Ｗ）／２    …（２）
Ｗは書込み解像度（ｄｏｔ／ｉｎｃｈ）、２５．４の単位は（ｍｍ／ｉｎｃｈ）である。従って条件式（１），（２）の右辺の単位は（ｍｍ／ｄｏｔ）となり、１ｄｏｔが何ｍｍであるかを表している。
【００３１】
前記条件式（１）は副走査方向Ｚの位置ずれの２次成分（位置ずれ）を表しており、この式（１）を満足することは副走査方向Ｚの位置ずれの２次成分が大きいことを意味している。また、前記条件式（２）は光路ごと（各色ごと）の副走査方向Ｚの位置ずれの３次以上の高次成分相対差を表しており、この条件式（２）を満足することは高次成分相対差が小さいことを表している。
【００３２】
副走査方向Ｚの位置ずれの２次成分を無理に小さくしようとすると、他の収差が悪化してかえって画像品質の低下を招来する。それに代えて、条件式（２）を満足させることで各光路ごとの高次成分相対差を小さくし、副走査方向の色ずれを抑えて高品位な画像を形成することができる。
【００３３】
図７は偏向角θと副走査方向の位置ずれ量Ｋ（ｉ，θ）との関係を示し、設計状態で下側ビーム（ｉ＝２）の副走査方向の位置ずれ量が２５．４／Ｗを越えている。一方、図８は偏向角θと副走査方向の位置ずれ量の高次成分ＫＫ（ｉ，θ）との関係を示している。副走査方向の位置ずれ量Ｋ（ｉ，θ）から３点補正分（３点を結ぶ２次曲線）を除いたものが高次成分ＫＫ（ｉ，θ）である。設計状態で上側ビーム（ｉ＝１）と下側ビーム（ｉ＝２）の副走査方向の位置ずれ量高次成分の差が（２５．４／Ｗ）／２を下回っている。図７及び図８ではポリゴンミラー５に対して右側のレンズ１１，１２の設計性能を示しているので、ｉ＝１の入射開角は９０°、ｉ＝２の入射開角は８０°である。
【００３４】
（折返しミラーの配置枚数）
光路折返しミラー３１〜３８の枚数に関しては、図９に示すように、ポリゴンミラー５に対して一方の上側光路（マゼンタ露光用）の配置枚数は３、一方の下側光路（イエロー露光用）の配置枚数は２、他方の下側光路（ブラック露光用）の配置枚数は１、他方の上側光路（シアン露光用）の配置枚数は２とされている。
【００３５】
即ち、折返しミラーの配置枚数は、ポリゴンミラー５の左側で上下で対応する光路では３枚と２枚で偶数・奇数が異なり、右側で上下で対応する光路では２枚と１枚で偶数・奇数が異なっている。また、第１及び第２レンズ１１，１２の上側を透過する光路では３枚と２枚で偶数・奇数が異なり、下側を透過する光路では２枚と１枚で偶数・奇数が異なっている。
【００３６】
一方、第２実施例においては、図１０に示すように、光路折返しミラー４１〜４６の枚数に関して、ポリゴンミラー５に対して一方の上側光路（イエロー露光用）の配置枚数は１、一方の下側光路（マゼンタ露光用）の配置枚数は２、他方の下側光路（ブラック露光用）の配置枚数は１、他方の上側光路（シアン露光用）の配置枚数は２とされている。
【００３７】
即ち、第２実施例での折返しミラーの配置枚数は、ポリゴンミラー５の左側で上下で対応する光路では１枚と２枚で偶数・奇数が異なり、右側で上下で対応する光路では２枚と１枚で偶数・奇数が異なっている。また、第１及び第２レンズ１１，１２の上側を透過する光路では１枚と２枚で偶数・奇数が異なり、下側を透過する光路では２枚と１枚で偶数・奇数が異なっている。
【００３８】
なお、図４に示す第２実施例において他の構成は図１〜図３に示した第１実施例と同様であり、同じ部材には同じ符号を付し、重複した説明は省略する。
【００３９】
ところで、第２レンズ１２と被走査面（感光体ドラム５０）との間に配置された折返しミラーの枚数に関して、上側を透過する光路の配置枚数をＰ、下側を透過する光路の配置枚数をＱとしたとき、以下の式（３）を満足するように設定することが好ましい。
｜Ｐ−Ｑ｜＝２ｊ＋１    …（３）
但し、ｊは０以上の整数
【００４０】
第１及び第２レンズ１１，１２の上側を透過するビームと下側を透過するビームとで副走査方向Ｚの位置ずれの高次成分は光路の主走査断面に対して対称な形状を有している。そして、前記式（３）を満足することにより、上側光路と下側光路とで反射回数が１回ずれることになり、ミラーで折り返された後の被走査面上での描画ラインのボウの湾曲方向を揃えることができ、色ずれを効果的に抑えることができる。
【００４１】
第１実施例における折返しミラー３１〜３８の配置枚数を前記式（３）に当てはめると、ポリゴンミラー５の左側ではＰ＝２、Ｑ＝３、右側ではＰ＝２、Ｑ＝１であり、｜Ｐ−Ｑ｜は奇数となって式（３）を満足している。また、第２実施例における折返しミラー４１〜４６の配置枚数を前記式（３）に当てはめると、ポリゴンミラー５の左側ではＰ＝１、Ｑ＝２、右側ではＰ＝２、Ｑ＝１であり、｜Ｐ−Ｑ｜は奇数となって式（３）を満足している。
【００４２】
（ボウの補正）
被走査面５０上における副走査方向の位置ずれは図１１に示す補正手段２５によって補正することができる。この補正手段２５は、折返しミラー３０に設けたねじ２６を固定フレーム２７に対して進退させることにより、折返しミラー３０の主走査方向中央部分を矢印Ａ方向に変形させることで該ミラー３０の主走査方向Ｙにおける撓み量を調整する。折返しミラー３０はその両端部が固定部３９，３９にて保持され、かつ、ねじ２６の対向側には板ばね２８が配置されている。
【００４３】
ねじ２６によって折返しミラー３０の撓み量を調整することで被走査面５０上の位置ずれを補正することができる。設計的に大きな位置ずれが残存した場合であってもこの補正手段２５によってその補正が可能になる。このように位置ずれを補正した場合、折返しミラーの配置枚数に関する前記式（３）は副走査方向の位置ずれの２次成分を補正後の副走査方向Ｚの位置ずれ残存分を揃えることになる。
【００４４】
補正手段２５は、任意の折返しミラーに設置すればよいが、４色の各光路においてそれぞれ１枚の折返しミラーに対して設置することが好ましい。各光路において複数の折返しミラーのいずれに設置するかは、光路設計上設置しやすいミラーを選択すればよいが、補正感度の高いミラーを選択することが好ましい。即ち、ビームが鈍角に入射するミラーのほうが、ミラーの撓み量に対して位置ずれの変化量が大きくなる。
【００４５】
（光学素子の配置、構成データ）
以下に示す表１に、前記第１及び第２実施例での光学素子の配置を示す。また、表２〜５に第１及び第２レンズ１１，１２の自由曲面係数データを示す。これらの自由曲面は式（４）に示す自由曲面式にて算出される。
【００４６】
【数１】
2006323277.tif 000003
【００４７】
【表１】
2006323277.tif 000004
【００４８】
【表２】
2006323277.tif 000005
【００４９】
【表３】
2006323277.tif 000006
【００５０】
【表４】
2006323277.tif 000007
【００５１】
【表５】
2006323277.tif 000008
【００５２】
（他の実施例）
なお、本発明に係る光走査装置は前記実施例に限定するものではなく、その要旨の範囲内で種々に変更できることは勿論である。
【図面の簡単な説明】
【００５３】
【図１】本発明に係る光走査装置の第１実施例を示す立体配置概念図である。
【図２】前記第１実施例の光源部の光路構成を示し、（Ａ）はＸ−Ｙ平面図、（Ｂ）はＸ−Ｚ側面図である。
【図３】第２レンズを示す斜視図である。
【図４】前記第１実施例の偏向器から被走査面までの展開光路を示し、（Ａ）はＸ−Ｙ平面図、（Ｂ）はＸ−Ｚ側面図である。
【図５】偏向角を示すＸ−Ｙ平面図である。
【図６】ボウの発生を示す斜視図である。
【図７】偏向角と位置ずれ量Ｋ（ｉ，θ）との関係を示すグラフである。
【図８】偏向角と位置ずれ量の高次成分ＫＫ（ｉ，θ）との関係を示すグラフである。
【図９】前記第１実施例の偏向器から被走査面までの光路構成を示すＸ−Ｚ側面図である。
【図１０】本発明に係る光走査装置の第２実施例において、偏向器から被走査面までの光路構成を示すＸ−Ｚ側面図である。
【図１１】被走査面上でのボウの補正手段を示し、（Ａ）はＸ−Ｚ側面図、（Ｂ）はＸ−Ｙ平面図である。
【符号の説明】
【００５４】
１…レーザダイオード
５…ポリゴンミラー
１１，１２…レンズ
２５…補正手段
２９…ウインドウガラス
３０〜３８…折返しミラー
４１〜４６…折返しミラー
５０…感光体ドラム（被走査面）
【図１】
2006323277.tif 000009
【図２】
2006323277.tif 000010
【図３】
2006323277.tif 000011
【図４】
2006323277.tif 000012
【図５】
2006323277.tif 000013
【図６】
2006323277.tif 000014
【図７】
2006323277.tif 000015
【図８】
2006323277.tif 000016
【図９】
2006323277.tif 000017
【図１０】
2006323277.tif 000018
【図１１】
2006323277.tif 000019